(57)【要約】【課題】低温外気における暖房運転時の室外機用熱交換器の通風部の着霜を遅延し、着霜が起因する風量及び熱交換性能の低下を抑制するコルゲートフィン式熱交換器を提供すること。【解決手段】左右に対峙する一対のヘッダーパイプ２ａ，２ｂと、両ヘッダーパイプ２ａ，２ｂに接続される互いに平行な複数の扁平チューブ３と、扁平チューブ３間に接合され、隣接する山部４ａと谷部４ｂ間に通風路４ｃを有するコルゲートフィン４と、を具備するコルゲートフィン式熱交換器において、コルゲートフィン４は、風上側から風下側に向かって離れた位置に、隣接する通風路４ｃを連通する縦スリット５を切り起こして形成されるルーバー６を、コルゲートフィン４の幅方向に互いに平行に複数形成してなる。【選択図】  図４
2019045031.tif 000002
【特許請求の範囲】
【請求項１】
左右に対峙する一対のヘッダーパイプと、上記両ヘッダーパイプに接続される互いに平行な複数の扁平チューブと、上記扁平チューブ間に接合され、隣接する山部と谷部間に通風路を有するコルゲートフィンと、を具備するコルゲートフィン式熱交換器であって、
上記コルゲートフィンは、風上側から風下側に向かって離れた位置に、隣接する上記通風路を連通する縦スリットを切り起こして形成されるルーバーを、コルゲートフィンの幅方向に互いに平行に複数形成してなる、ことを特徴とするコルゲートフィン式熱交換器。
【請求項２】
請求項１に記載のコルゲートフィン式熱交換器において、
上記ルーバーは、上記コルゲートフィンの風下側に形成されている、ことを特徴とするコルゲートフィン式熱交換器。
【請求項３】
請求項１に記載のコルゲートフィン式熱交換器において、
上記ルーバーは、上記コルゲートフィンの風上側と風下側の中間位置に形成されている、ことを特徴とするコルゲートフィン式熱交換器。
【請求項４】
請求項１ないし３のいずれかに記載のコルゲートフィン式熱交換器において、
上記コルゲートフィンは、上記ルーバーが設けられていない箇所の上記通風路に面する表裏面が凹凸状に形成されている、ことを特徴とするコルゲートフィン式熱交換器。
【請求項５】
請求項１ないし４のいずれかに記載のコルゲートフィン式熱交換器において、
上記コルゲートフィンは、風下側に延在する風下側コルゲートフィンを更に具備し、上記風下側コルゲートフィンは、隣接する通風路を連通する縦スリットを切り起こして形成されるルーバーを風上側から風下側に亘って互いに平行に複数形成してなる、ことを特徴とするコルゲートフィン式熱交換器。
【発明の詳細な説明】
【技術分野】
【０００１】
この発明は、コルゲートフィン式熱交換器に関するもので、更に詳細には、コルゲートフィンと扁平チューブを互いに平行に水平方向に配置したコルゲートフィン式熱交換器に関するものである。
【背景技術】
【０００２】
一般に、対峙する一対のヘッダーパイプ間に、互いに平行な複数の扁平状の熱交換チューブ（以下に扁平チューブという）を水平方向に配置し、これら扁平チューブ間にコルゲートフィンを接合してなるコルゲートフィン式熱交換器が広く使用されている。
【０００３】
この種のコルゲートフィン式熱交換器を蒸発器として使用した場合、表面に凝縮水が付着し通風の妨げとなり、熱交換性能を低下させる問題がある。
【０００４】
この問題を解決する手段として、扁平チューブの幅方向の端部外面に、扁平チューブの上下側に隣接するコルゲートフィンの谷頂点間に保水される水と接触して誘引するエッジ部を有する流水路を扁平チューブの長手方向に適宜ピッチをおいて複数形成してなるコルゲートフィン式熱交換器が知られている（例えば、特許文献１参照）。
特許文献１に記載の熱交換器によれば、流水路が排水機能として働くことで水が排出され、扁平チューブが水平方向に配置された蒸発器として使用することができる。
【０００５】
なお、特許文献１に記載のコルゲートフィン式熱交換器において、コルゲートフィンに設けられた複数の縦スリットを切り起こしてルーバーを形成することで、熱交換性能を向上させている。
【先行技術文献】
【特許文献】
【０００６】
【特許文献１】特開２０１０−２４３１４７号公報（図１，図２）
【発明の概要】
【発明が解決しようとする課題】
【０００７】
ところで、室外機用熱交換器においては、暖房運転時、外気温度が低いと、熱交換器に霜が付着して、通風量及び熱交換性能が低下する懸念がある。
また、霜は風の当たる先端部に付きやすく、特にフィンのルーバー部は霜の成長が早いため、着霜の観点ではルーバーは望ましくない。
【０００８】
しかしながら、特許文献１に記載のコルゲートフィン式熱交換器の排水メカニズムは、コルゲートフィンの山谷に付着した水は、谷部から山部へ移動し、山部すなわち谷頂点間から扁平チューブ側壁の流水路（排水機構）を介して下段のコルゲートフィンの谷部へと流れる。また、コルゲートフィンの谷部から山部へ移動する際、コルゲートフィンに設けられたルーバーを通るため、ルーバーは必要であり無くすことはできない。
【０００９】
この発明は、上記事情に鑑みてなされたもので、低温外気における暖房運転時の室外機用熱交換器の通風部の着霜を遅延し、着霜が起因する風量及び熱交換性能の低下を抑制するコルゲートフィン式熱交換器を提供することを課題とする。
【課題を解決するための手段】
【００１０】
上記課題を達成するために、この発明のコルゲートフィン式熱交換器は、左右に対峙する一対のヘッダーパイプと、上記両ヘッダーパイプに接続される互いに平行な複数の扁平チューブと、上記扁平チューブ間に接合され、隣接する山部と谷部間に通風路を有するコルゲートフィンと、を具備するコルゲートフィン式熱交換器であって、上記コルゲートフィンは、風上側から風下側に向かって離れた位置に、隣接する上記通風路を連通する縦スリットを切り起こして形成されるルーバーを、コルゲートフィンの幅方向に互いに平行に複数形成してなる、ことを特徴とする（請求項１）。
この場合、上記ルーバーは、上記コルゲートフィンの風下側に形成されるか（請求項２）、上記コルゲートフィンの風上側と風下側の中間位置に形成されているのが好ましい（請求項３）。
【００１１】
このように構成することにより、着霜しやすいルーバーは風上側から離れた位置に設けられるので、風上側で空気が除湿されるため、ルーバーの着霜をし難くすると共に遅延させることができる。
【００１２】
また、この発明において、上記コルゲートフィンは、上記ルーバーが設けられていない箇所は平坦状であっても差し支えないが、好ましくは上記通風路に面する表裏面が凹凸状に形成されているのがよい（請求項４）。
【００１３】
このように構成することにより、平坦面に比べ空気の流れを乱流化し、温度境界層を小さくすることができる。
【００１４】
加えて、この発明において、上記コルゲートフィンは、風下側に延在する風下側コルゲートフィンを更に具備し、上記風下側コルゲートフィンは、隣接する通風路を連通する縦スリットを切り起こして形成されるルーバーを風上側から風下側に亘って互いに平行に複数形成されているのが好ましい（請求項５）。
【００１５】
このように構成することにより、風上側のコルゲートフィンのルーバー減による熱交換性能の低下を風下側コルゲートフィンに設けられたルーバーによって抑制することができる。
【発明の効果】
【００１６】
この発明によれば、上記のように構成されているので、以下のような優れた効果が得られる。
【００１７】
（１）請求項１〜３に記載の発明によれば、着霜しやすいルーバーは風上側から離れた位置に設けられるので、風上側で空気が除湿されるため、ルーバーの着霜をし難くすると共に遅延させることができ、着霜が起因する風量及び熱交換性能の低下を抑制することができる。
【００１８】
（２）請求項４に記載の発明によれば、空気の流れを乱流化し、温度境界層を小さくすることができるので、上記（１）に加えて、更に熱交換性能の向上を図ることができる。
【００１９】
（３）請求項５に記載の発明によれば、風上側のコルゲートフィンのルーバー減による熱交換性能の低下を風下側コルゲートフィンに設けられたルーバーによって抑制することができるので、上記（１），（２）に加えて、更に熱交換性能の向上を図ることができる。
【図面の簡単な説明】
【００２０】
【図１】この発明に係るコルゲートフィン式熱交換器の第１実施形態を示す概略正面図である。
【図２】図１のＩ部拡大正面図である。
【図３】この発明における凝縮水の排水状態を示す要部拡大断面図である。
【図４】この発明に係るコルゲートフィン式熱交換器の第１実施形態の一部を断面で示す斜視図である。
【図５】この発明におけるコルゲートフィンの第１実施形態を示す要部斜視図である。
【図６】上記第１実施形態のコルゲートフィンにおける空気の流れを示す概略側面図である。
【図７】この発明におけるコルゲートフィンの第２実施形態を示す要部斜視図である。
【図８】上記第２実施形態のコルゲートフィンにおける空気の流れを示す概略側面図である。
【図９】この発明の第３実施形態のコルゲートフィンにおける空気の流れを示す概略側面図（ａ），（ａ）のII−II線に沿う端面図（ｂ）及び（ｂ）のIII部拡大端面図（ｃ）である。
【図１０】この発明の第４実施形態のコルゲートフィンを示す概略側面図である。
【発明を実施するための形態】
【００２１】
以下に、この発明を実施するための形態について、添付図面に基づいて詳細に説明する。ここでは、この発明に係る熱交換器を蒸発器に適用した場合について説明する。なお、添付図面はこの発明の構造を判りやすくするために概略的に図示したもので、各部の寸法比率は図面に図示したものに限定されるものではない。
【００２２】
この発明に係るコルゲートフィン式熱交換器１は、図１に示すように、それぞれアルミニウム（アルミニウム合金を含む）製の左右に対峙する一対のヘッダーパイプ２ａ，２ｂと、これらヘッダーパイプ２ａ，２ｂ間に互いに平行に水平方向に接続（連結）される複数の扁平チューブ３と、扁平チューブ３間に接合され、隣接する山部４ａと谷部４ｂ間に通風路４ｃを有するコルゲートフィン４と、をろう付けによって接合してなる。
【００２３】
なお、扁平チューブ３には複数に区画された熱媒体流路３ａが形成されている。また、上下端のコルゲートフィン４の上部外方側及び下部開放側には、それぞれアルミニウム製のサイドプレート７がろう付けされている。また、ヘッダーパイプ２ａ，２ｂの上下開口端にはアルミニウム製のエンドキャップ８がろう付けされている。
【００２４】
上記のように構成される熱交換器１において、扁平チューブ３の幅方向の端部外面には、排水機構１０が設けられている。排水機構１０は、図１ないし図４に示すように、扁平チューブ３の幅方向の端部外面に、該扁平チューブ３の上下側に隣接するコルゲートフィン４の谷頂点間に保水される水と接触して誘引するエッジ部１２を有する少なくとも一部がコルゲートフィン４の側端部の内側に位置する流水路１３が扁平チューブ３の長手方向に沿って等ピッチに設けられた構造となっている。
【００２５】
この場合、扁平チューブ３は、幅方向の側端部に、扁平チューブ３の長手方向に沿って薄肉の鍔部（図示せず）が延設されるアルミニウム製押出形材にて形成され、鍔部に等間隔の切込みを介して傾斜状に切り起こされる等ピッチの切起し片１１によって、扁平チューブ３の上下側に隣接するコルゲートフィン４の谷頂点間に保水される水を誘引する流水路１３が形成される。
【００２６】
一方、コルゲートフィン４は、薄板を所定の高さになるように山−谷折りを交互に繰り返して、隣接する逆Ｕ字状の山部４ａとＵ字状の谷部４ｂ間に通風路４ｃが形成されており、熱交換器１の正面視では、略Ｕ字形状の連続波形に形成されている。
【００２７】
また、コルゲートフィン４は、図４ないし図６に示すように、風上側から風下側に向かって離れた風下側の位置に、複数のルーバー６が形成されている。この場合、ルーバー６は、隣接する通風路４ｃを連通する縦スリット５を隣接する山部４ａ及び谷部４ｂの通風路４ｃ側に切り起こして形成され、コルゲートフィン４の幅方向に互いに平行に複数形成されている。
このように形成されるルーバー６によって、コルゲートフィンに付着した水（凝縮水、結露水）の谷部４ｂから山部４ａすなわち谷頂点間への流れを円滑にすることができる。
【００２８】
このように、ルーバー６を設けることにより、熱交換性能の向上が図れる、すなわち、通風路４ｃに所定角度に形成された所定数のルーバー６を設けることで、乱流効果等により熱伝達性能の向上が図れる。
【００２９】
また、ルーバー６を風上側から離れた風下側に設けることで、風上側で空気が除湿されるため、ルーバー６の着霜をし難くすると共に遅延させることができるので、着霜が起因する風量及び熱交換性能の低下を抑制することができる。
【００３０】
上記のように構成される熱交換器１の排水メカニズムは、図３に示すように、Ｕ字形状（谷折り）フィン表面に付着した水（凝縮水、結露水）は、下段への水路がないため、コルゲートフィン４の幅方向に互いに平行に設けられた複数の縦スリット５を切り起こして形成されたルーバー６を介して隣の逆Ｕ字形状（山折り）部に移動し、逆Ｕ字形状部すなわちコルゲートフィン４の谷頂点間に集まった水（凝縮水、結露水）は、下方の開口部から、扁平チューブ３に形成された流水路１３を形成する切起し片１１のエッジ部１２と接触することで、流れ落ちる起点となり、流水路１３内に誘引される。このようにして、順次下方側のコルゲートフィン４に流れ込むといったメカニズムをスムーズに繰り返すことにより、排水が促進される。
【００３１】
この排水メカニズムにおいて、扁平チューブ３に形成される流水路１３のピッチがコルゲートフィン４のピッチ（山頂点−谷頂点寸法）の４倍以上になると、コルゲートフィン４の保水力に対し、上下に連続する排水路が少なくなるため、排水スピードが極端に遅くなり、実用上有効な排水効果が得られなくなる。そのため、図２に示すように、流水路１３すなわち切起し片１１のピッチＰ１はコルゲートフィン４のピッチＰ（山頂点−谷頂点寸法）の４倍以下が好ましい。これにより、コルゲートフィン４の谷頂点間に少なくとも１つの切起し片１１が位置するので、排水性の向上が図れる。
【００３２】
上記実施形態では、風下側にルーバー６が設けられるコルゲートフィン４について説明したが、図７及び図８に示すように、風上側と風下側の中間位置にルーバー６が設けられたコルゲートフィン４Ａであってもよい。
【００３３】
このように、ルーバー６をコルゲートフィン４Ａの風上側と風下側の中間位置に設けることで、風上側で空気が除湿されるため、ルーバー６の着霜をし難くすると共に遅延させることができる。
【００３４】
上記実施形態では、コルゲートフィン４は、ルーバー６を形成した以外の箇所は平坦状に形成されているが、図９に示すように、ルーバー６を形成した以外の箇所すなわちコルゲートフィン４Ａの風上側及び風下側の箇所を山型に切り起こして凹凸部２０を設けることで、ルーバー６を形成した以外の箇所の通風路４ｃに面する表裏面を凹凸状に形成してもよい。
【００３５】
このようにルーバー６を形成した以外の箇所の通風路４ｃに面する表裏面を凹凸状に形成することにより、平坦面に比べ空気の流れを乱流化し、温度境界層を小さくすることができ、熱交換性能の向上が図れる。
【００３６】
なお、上記説明では、中間部にルーバー６を設けたコルゲートフィン４Ａの風上側及び風下側の箇所の通風路４ｃに面する表裏面を凹凸状に形成する場合について説明したが、図６に想像線で示すように、風下側にルーバー６を設けたコルゲートフィン４の風上側の箇所を山型に切り起こして凹凸部２０を設けることで、ルーバー６を形成した以外の箇所の通風路４ｃに面する表裏面を凹凸状に形成してもよい。
【００３７】
図１０は、この発明のコルゲートフィンの別の形態を示す概略側面図である。図１０に示すコルゲートフィンは、中間部にルーバー６を設けたコルゲートフィン４Ａの風下側に延在する風下側コルゲートフィン４Ｂを更に具備し、風下側コルゲートフィン４Ｂは、隣接する通風路４ｃを連通する縦スリット５を切り起こして形成されるルーバー６を風上側から風下側に亘って互いに平行に複数形成してなる。
【００３８】
このように形成することにより、コルゲートフィン４Ａのルーバー減による熱交換性能の低下を風下側コルゲートフィン４Ｂに設けられたルーバー６によって抑制することができるので、熱交換性能の向上を図ることができる。
【００３９】
なお、上記説明では、中間部にルーバー６を設けたコルゲートフィン４Ａの風下側に風下側コルゲートフィン４Ｂを延在（延設）した場合について説明したが、風下側にルーバー６を設けたコルゲートフィン４の風下側に風下側コルゲートフィン４Ｂを延在（延設）してもよい。
【００４０】
なお、上記説明では、１つの熱交換器にコルゲートフィン４又は４Ａとコルゲートフィン４Ｂを２列配置した場合について説明したが、コルゲートフィン４又は４Ａを具備する熱交換器を風上側に配置し、コルゲートフィン４Ｂを具備する熱交換器を風下側に配置した構造においても、上記と同様の効果が得られる。すなわち、風上側に配置される熱交換器のルーバー減による熱交換性能の低下を風下側に配置される熱交換器のコルゲートフィン４Ｂに設けられたルーバー６によって抑制することができるので、熱交換性能の向上を図ることができる。
【００４１】
なお、上記実施形態では、コルゲートフィン４がＵ字状の山−谷折りを交互に繰り返した略Ｕ字形状の連続波形状に形成されているが、Ｖ字状の山−谷折りを交互に繰り返した略Ｖ字形状の連続波形状に形成されるコルゲートフィンであってもよい。
【００４２】
また、上記実施形態では、排水機構１０を構成する流水路１３は、扁平チューブ３の上下側に隣接するコルゲートフィン４の谷頂点間に保水される水と接触して誘引するエッジ部１２を有する場合について説明したが、排水機構は必ずしもこのような構造である必要はない。例えば、流水路を、扁平チューブの幅方向の端部に上下に渡って傾斜状又は鉛直状に切り欠かれた溝部にて形成した排水機構であってもよい。
【符号の説明】
【００４３】
１  熱交換器
２ａ，２ｂ  ヘッダーパイプ
３  扁平チューブ
４，４Ａ，４Ｂ  コルゲートフィン
４ａ  山部
４ｂ  谷部
４ｃ  通風路
５  縦スリット
６  ルーバー
１０  排水機構
２０  凹凸部
【図１】
2019045031.tif 000003
【図２】
2019045031.tif 000004
【図３】
2019045031.tif 000005
【図４】
2019045031.tif 000006
【図５】
2019045031.tif 000007
【図６】
2019045031.tif 000008
【図７】
2019045031.tif 000009
【図８】
2019045031.tif 000010
【図９】
2019045031.tif 000011
【図１０】
2019045031.tif 000012
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
左右に対峙する一対のヘッダーパイプと、上記両ヘッダーパイプに接続される互いに平行な複数の扁平チューブと、上記扁平チューブ間に接合され、隣接する山部と谷部間に通風路を有するコルゲートフィンと、を具備するコルゲートフィン式熱交換器であって、
上記コルゲートフィンは、風上側から風下側に向かって離れた位置に、隣接する上記通風路を連通する縦スリットを切り起こして形成されるルーバーを、コルゲートフィンの幅方向に互いに平行に複数形成してなる、ことを特徴とするコルゲートフィン式熱交換器。
【請求項２】
請求項１に記載のコルゲートフィン式熱交換器において、
上記ルーバーは、上記コルゲートフィンの風下側に形成されている、ことを特徴とするコルゲートフィン式熱交換器。
【請求項３】
請求項１に記載のコルゲートフィン式熱交換器において、
上記ルーバーは、上記コルゲートフィンの風上側と風下側の中間位置に形成されている、ことを特徴とするコルゲートフィン式熱交換器。
【請求項４】
請求項１ないし３のいずれかに記載のコルゲートフィン式熱交換器において、
上記コルゲートフィンは、上記ルーバーが設けられていない箇所の上記通風路に面する表裏面が凹凸状に形成されている、ことを特徴とするコルゲートフィン式熱交換器。
【請求項５】
請求項１ないし４のいずれかに記載のコルゲートフィン式熱交換器において、
上記コルゲートフィンは、風下側に延在する風下側コルゲートフィンを更に具備し、上記風下側コルゲートフィンは、隣接する通風路を連通する縦スリットを切り起こして形成されるルーバーを風上側から風下側に亘って互いに平行に複数形成してなる、ことを特徴とするコルゲートフィン式熱交換器。
【請求項６】
請求項１に記載のコルゲートフィン式熱交換器において、
上記扁平チューブは、幅方向の側端部に、上記扁平チューブの長手方向に沿って薄肉の鍔部が延設されるアルミニウム製形材にて形成され、上記鍔部に等間隔の切込みを介して傾斜状に切り起こされる等ピッチの切起し片によって、上記扁平チューブの上下側に隣接する上記コルゲートフィンの谷頂点間に保水される水を誘引する流水路が形成されている、ことを特徴とするコルゲートフィン式熱交換器。
【手続補正２】
【補正対象書類名】明細書
【補正対象項目名】００１５
【補正方法】変更
【補正の内容】
【００１５】
このように構成することにより、風上側のコルゲートフィンのルーバー減による熱交換性能の低下を風下側コルゲートフィンに設けられたルーバーによって抑制することができる。
また、請求項１に記載のコルゲートフィン式熱交換器において、上記扁平チューブは、幅方向の側端部に、上記扁平チューブの長手方向に沿って薄肉の鍔部が延設されるアルミニウム製形材にて形成され、上記鍔部に等間隔の切込みを介して傾斜状に切り起こされる等ピッチの切起し片によって、上記扁平チューブの上下側に隣接する上記コルゲートフィンの谷頂点間に保水される水を誘引する流水路が形成されているのが好ましい（請求項６）。
このように構成することにより、コルゲートフィンの山谷に付着した水は、谷部から山部へ移動する際、ルーバーを構成する縦スリットを通って谷頂点間に流れ、谷頂点間に集まった水は、切起し片によって流水路に誘引され、順次下方側のコルゲートフィンに流れる。
【手続補正３】
【補正対象書類名】明細書
【補正対象項目名】００１９
【補正方法】変更
【補正の内容】
【００１９】
（３）請求項５に記載の発明によれば、風上側のコルゲートフィンのルーバー減による熱交換性能の低下を風下側コルゲートフィンに設けられたルーバーによって抑制することができるので、上記（１），（２）に加えて、更に熱交換性能の向上を図ることができる。
（４）請求項６に記載の発明によれば、暖房運転時の室外機用熱交換器に付着する水（凝縮水、結露水）を排水すると共に、低温外気における通風部の着霜を遅延し、水（凝縮水、結露水）及び着霜が起因する風量及び熱交換性能の低下を抑制することができる。